(57)【要約】【課題】ストレッチフィルムを引っ張りながら巻き回しても結び目が抜けることのない合成樹脂製パレットを提供する。【解決手段】四隅の桁の内の１つの桁３の隅部の接地面側に、桁３の一方の側面６から他方の側面７へ連通する溝８が設けられている。溝８を設ける位置は、パレットの隅からの距離Ａを４０〜１００ｍｍの範囲とし、また、溝８から外側に位置する角部９を２〜５ｍｍの範囲の段差Ｂを有するように設け、さらに角部９の面を０〜１０度の傾斜角αを有するように設ける。【選択図】　図２
2004090930.tif 000002
【特許請求の範囲】
【請求項１】
桁の隅部の接地面側の表面に、桁の一方の側面から他方の側面へ連通する溝を設けたことを特徴とする合成樹脂製パレット。
【請求項２】
該溝から外側に位置する角部を、段差を有するようにして設けた請求項１に記載の合成樹脂製パレット。
【請求項３】
該段差が２〜５ｍｍである請求項２に記載の合成樹脂製パレット。
【請求項４】
該溝から外側に位置する角部を、傾斜させるようにして設けた請求項１〜３のいずれかに記載の合成樹脂製パレット。
【請求項５】
該傾斜角が０〜１０度である請求項４に記載の合成樹脂製パレット。
【発明の詳細な説明】
【０００１】
【発明の属する技術分野】
本発明は、デッキ上に荷物を載せてストレッチフィルムによりパレットと共に荷物を梱包する際に使用する合成樹脂製パレットに関する。
【０００２】
【従来の技術】
従来、ダンボール箱に入った荷物や塗料缶等の荷物を搬送するには、パレットの上に荷物を段積みした後、荷物の荷崩れや落下防止のため、パレットと荷物とをストレッチフィルムにより巻き回して梱包する方法が採られている。
【０００３】
このストレッチフィルムを巻き始めるには、パレットに積載されている荷物の間に先端部分を挟み込んで止めたり、パレットの下端部にストレッチフィルムの先端部を挟み込んだりする必要があるが、荷物が重量物である場合には持ち上げて挟み込むことが困難であるばかりでなく、手や足の指を挟んで怪我をするような危険を生じることもある。
【０００４】
また、荷物を積載しない状態でパレットの下端部にストレッチフィルムの先端部を事前に挟み込んだ後に荷物を積載することも考えられるが、作業手順や作業スペースに制約を受けることになり著しく作業性を損なうこととなってしまう。
【０００５】
このような不具合を解消すべく種々の方法も提案されている。例えば、パレットの桁部にストレッチフィルムを係止するためのストレッチフィルム取り付け部材を配設した合成樹脂製パレットや、ストレッチフィルムの結び目が引っ掛かるような透孔を桁部に設けた合成樹脂製パレットがある（特許文献１参照）。
【０００６】
【特許文献１】
特開２００１−３２２６４０号公報（図５、図８、図１５）
【０００７】
しかしながら、上記合成樹脂製パレットの舌片状の取り付け部材では、フォークリフトの爪が当たった場合のように衝撃が加わると破損してしまう。また、透孔のみで結び目を止めようとする場合には、ストレッチフィルムを引っ張りながら巻き回すと結び目が抜けてしまったり、透孔を桁部に設けるにはスライド構造等の特殊な金型構造が必要で製品コストもアップしてしまうこととなる。
【０００８】
【発明が解決しようとする課題】
本発明は、ストレッチフィルムを引っ張りながら巻き回しても結び目が抜けることのない合成樹脂製パレットを提供することにある。
【０００９】
【課題を解決するための手段】
本発明は、桁の隅部の接地面側の表面に、桁の一方の側面から他方の側面へ連通する溝を設けたことを特徴とする合成樹脂製パレットを提供するものである。
【００１０】
【発明の実施の形態】
以下、図面を参照しながら本発明を詳細に説明する。
図１は、本発明の一実施形態を示す合成樹脂製パレットの斜視図である。この例では、両面使用の貼り合わせ四方差しパレットであり、ポリエチレン、ポリプロピレン、ＡＢＳ等の種々の合成樹脂により成形することができる。
【００１１】
上面デッキボードを有する上側部材１と下面デッキボードを有する下側部材２は同形状であり、それぞれ四隅には桁３と、この桁３の中間位置には中間桁４を有しており、さらに中央部には中央桁（図示せず）を有している。この上側部材１と下側部材２とは、各桁において溶着等により貼り合わされてパレットを形成している。
なお、桁３と中間桁４との間には、フォーク挿入口５が設けられており、デッキボード面には適宜、滑り止めテープあるいはグロメットを設けたり、水抜き等のための穴を設けても良く、さらには、軽量化のために格子状の桟を有する形状とすることも可能である。
【００１２】
図２は、四隅の桁の内の１つの桁３の拡大図である。桁３の隅部の接地面側には、桁３の一方の側面６から他方の側面７へ連通する溝８が設けられている。この溝８の幅は、ストレッチフィルムの結び目を引っ掛けた場合に抜けることがないように設定すれば良く、例えば２〜１０ｍｍ、特に３〜６ｍｍであれば十分にその機能を発現する。
なお、溝８の幅は一定でなくとも良い。例えば、ストレッチフィルムの結び目側に相当する溝８の部分を狭くし、その反対側に行くにしたがって徐々に広がっていくように設けることも好ましい。
【００１３】
溝８の深さはストレッチフィルムを確実に引っ掛けることができるように設定すれば良いが、あまり深すぎると桁３の強度が低下して破損し易くなるので、１０〜２０ｍｍ程度とすることが良い。
なお、溝８の深さは一定でなくとも良い。例えば、ストレッチフィルムの結び目に相当する溝８の部分を接地面に近づけるように設け、その反対側に行くにしたがって徐々に接地面から遠ざかるように設けることも好ましい。
【００１４】
また、溝８の断面形状は特に制限はなく、例えば、矩形、Ｖ字状、Ｕ字状等が挙げられるが、ストレッチフィルムを確実に把持できることと、成形の簡便さからはＵ字状が好ましい。
【００１５】
溝８を設ける位置は、パレットの隅からの距離をＡとすると４０〜１００ｍｍ程度とすれば良く、一方の側面６におけるＡ（６）と他方の側面７におけるＡ（７）とは同じであっても異なっていても良い。
【００１６】
ストレッチフィルムを溝８内に把持されるように引っ掛けるには、パレット上に荷物を積載した状態であってもパレットの接地面側にストレッチフィルムを潜らせてその先端部を引っ張り出した後に結び目を作っても良いし、あるいはストレッチフィルムの先端部を溝８内に押し込んで行って引っ張り出した後に結び目を作っても良い。
【００１７】
また、図２に示すように溝８から外側に位置する角部９を段差Ｂを有するように設けることが好ましい。このような段差を設けることにより、事前にストレッチフィルムの結び目を作っておいても、パレットの接地面側に簡単に潜らせることができるからである。この段差Ｂの寸法も大きすぎる場合にはパレットの角部９の強度が弱くなるため２〜５ｍｍとすることが好ましい。
【００１８】
また、段差を設ける代わりに角部９の面を傾斜させることも好ましい。この場合の傾斜角αは０〜１０度程度とすればストレッチフィルム１０を潜らせ易くなり、さらに角部の強度を低下させることもないからである。もちろん、段差と傾斜面とを併用して設けても構わない（図３参照）。
【００１９】
図４は、貼り合わせる前の下側部材２の桁３の近傍を上面側から見た平面図（ａ）と（ａ）における矢印方向の断面図（ｂ）を示す。ここでは、軽量化のために桁３は筒状桁となっており、内部が中空であって必要に応じて補強のためのリブ１１が適宜設けられている。
【００２０】
なお、上記例においては、両面使用の貼り合わせ四方差しパレットであるので溝８はパレットの両面の隅部に８箇所設けられており、図５に示すように両面使用の貼り合わせ二方差しパレットの場合も同様である。
【００２１】
これに対して、図６に示す片面使用の貼り合わせ四方差しパレットや、図７に示す片面使用の貼り合わせ二方差しパレットにおいては、上側部材１と下側部材２とは異なる形状を有しており、接地面側に位置する下側部材２に溝８を設ければ良いが、もちろん上側部材１にも溝８を設けても構わない。それは、ストレッチフィルムを巻き付けた際に、上側部材１の溝８にも食い込むようにして巻き付けられるため、ストレッチフィルムが不用意に引っ張られてもずれにくくなるからである。
【００２２】
なお、図６と図７は、下側部材２側から見た斜視図であり、図６の下側部材２は「田」字状となっており、上側部材１と桁３部分で貼り合わされた構造となっている。また、図７の下側部材２は３個の部材（内２個は同一形状）が「川」字状に上側部材１と桁３部分で貼り合わされた構造となっている。
【００２３】
【発明の効果】
以上、詳細に説明したように、桁の隅部の接地面側の表面に、桁の一方の側面から他方の側面へ連通する溝を設けたことにより、ストレッチフィルムの先端部が溝の長さ分だけ収容されて把持されることになるため、結び目だけで引っ掛けるよりも確実にストレッチフィルムを巻き回すことができる。
【図面の簡単な説明】
【図１】本発明による一実施形態の両面使用の四方差し合成樹脂製パレットの斜視図。
【図２】図１に示す合成樹脂製パレットの桁部の拡大図。
【図３】ストレッチフィルムを引っ掛けた状態を示す模式図。
【図４】下側部材の桁の近傍を上面側から見た（ａ）平面図と（ａ）における矢印方向の（ｂ）断面図。
【図５】本発明による他の実施形態の両面使用の二方差し合成樹脂製パレットの斜視図。
【図６】本発明による他の実施形態の片面使用の四方差し合成樹脂製パレットの下側部材側から見た斜視図。
【図７】本発明による他の実施形態の片面使用の二方差し合成樹脂製パレットの下側部材側から見た斜視図。
【符号の説明】
１　上側部材
２　下側部材
３　桁
４　中間桁
５　フォーク挿入口
６　桁の一方の側面
７　桁の他方の側面
８　溝
９　角部
１０　ストレッチフィルム
１１　リブ
【図１】
2004090930.tif 000003
【図２】
2004090930.tif 000004
【図３】
2004090930.tif 000005
【図４】
2004090930.tif 000006
【図５】
2004090930.tif 000007
【図６】
2004090930.tif 000008
【図７】
2004090930.tif 000009